(57)【要約】      （修正有）【課題】テラスなどを構成する枠体に沿って日除けや雨除けなどのために合成繊維製布地などの開閉体手段を容易に張設するできるようにする。【解決手段】テラスなどを構成する枠体に日除けや雨除けなどのために開閉体手段を張設する場合、ガイドレール３０１，３０２，３０３手段に沿って移動する枠４０１手段に対して、巻取手段２１３によって巻き取られる方向とは反対向の荷重をかける荷重付与手段を設けた。荷重付加手段は、荷重に応じて長さを伸縮させる伸縮手段と、この伸縮手段の一端部側に設けられた滑車手段と、この滑車手段を介して枠手段に一端部が、ガイドレール３０１，３０２，３０３手段に他端部が接続される線状手段とから構成される。【選択図】図４
2006307487.tif 000002
【特許請求の範囲】
【請求項１】
少なくとも一本のガイドレール手段と、
前記ガイドレール手段に沿って移動するように設けられた枠手段と、
前記枠手段に一端が固定された開閉体手段と、
前記開閉体手段の他端部が固定され、前記開閉体手段を巻き取ったり、巻き戻したりする巻取手段とからなる開閉体装置において、
前記開閉体手段が前記巻取手段によって巻き取られる方向とは反対向の荷重を前記枠手段にかける荷重付与手段を備え、前記巻取手段によって前記開閉体手段の開閉状態を制御するようにしたことを特徴とする開閉体装置。
【請求項２】
請求項１において、前記荷重付与手段は、
荷重に応じて長さを伸縮させる伸縮手段と、
前記伸縮手段の少なくとも一端部側に設けられた滑車手段と、
前記枠手段に一端部が接続され、前記ガイドレール手段に他端部が接続され、前記滑車手段を介して前記伸縮方向に沿って反転案内されるように構成された線状手段とを備え、
前記伸縮手段、前記滑車手段及び前記線状手段によって前記開閉体手段が前記巻取手段によって巻き取られる方向とは反対向の荷重を前記枠手段にかけるようにしたことを特徴とする開閉体装置。
【請求項３】
請求項１において、前記荷重付与手段は、
シリンダチューブ手段の一端から突出するように設けられピストンロッド手段にかけられる荷重に応じてその押し込み量が変化するように構成されたガススプリング手段と、
前記ガススプリング手段の両端部にそれぞれ設けられた滑車手段と、
前記枠手段に一端部が接続され、前記ガイドレール手段又は前記ガススプリング手段に他端部が接続され、前記滑車手段を介して前記押し込み方向に沿って反転案内されるように設けられたワイヤ手段とから構成されることを特徴とする開閉体装置。
【請求項４】
請求項１において、２本以上で構成された前記ガイドレール手段間の距離が変化した場合に、前記ガイドレール手段の長手方向に対して略垂直な方向に前記枠手段を移動させることによって前記距離の変化を吸収し、前記枠手段を全体的に前記ガイドレール手段に沿って移動させるように構成したことを特徴とする開閉体装置。
【請求項５】
請求項１において、前記巻取手段に巻き取られた前記開閉体手段の外周部に接触することによって前記巻取手段に巻き取られた前記開閉体手段の巻取り径の変化に応じて前記巻取手段の回転軸をスライド移動させると共に前記巻取手段の重量を支持するサポート手段を備えたことを特徴とする開閉体装置。
【発明の詳細な説明】
【技術分野】
【０００１】
本発明は、店頭などにおいて、日除けや雨除けなどのために開閉体手段を、開閉動作することで張設・保持・収納する開閉体装置に係り、特に開閉体手段の張設や収納をスムースに行うことのできる開閉体装置に関する。
【背景技術】
【０００２】
図１は、従来のオーニング装置の構成を示す概略図である。オーニング装置は、図１に示すように、例えば、店舗や住宅家屋などの建物の外壁等に取付ブラケット１０１を介して取り付けられる。なお、図１では、オーニング装置の左側だけを透視図として示し、示された左側だけの構成について説明を行なうが、同様の構成のものが右側にも存在することは言うまでもないので、その説明は省略する。取付ブラケット１０１は、上辺が長く、中辺と下辺が同じ長さをしたＥ字形をしている。このＥ字形の取付ブラケット１０１の中辺と下辺との間に角柱形状のアーム支持枠１０３がボルトとナットによって締め付け固定されている。このアーム支持枠１０３の左右両端近傍であって、取付ブラケット１０１の内側には、位置２自由度を有するリンク方式の関節アーム１０５，１０６がアームブラケット１０７を介して取り付けられている。関節アーム１０５の一端と関節アーム１０６の一端は、関節部材を介して回転自在に結合されている。
【０００３】
関節アーム１０５の他端は関節部材を介してアームブラケット１０７に結合され、関節アーム１０６の他端は関節部在を介してキャンバス支持前枠１０８に回転自在に結合されている。なお、図示しないが、関節アーム１０５，１０６の内部には、関節アーム１０５，１０６を伸張させるような付勢力を作用させる引張コイルスプリングなどの弾性体を有する。従って、左右に取り付けられた関節アームによって、キャンバス支持前枠１０８には常に前方に向かって伸張しようとする付勢力が加わることになる。キャンバス支持前枠１０８は、日除け又は雨覆いとなる合成繊維製布地のキャンバス１０９の一端側が取り付けられる。キャンバス１０９の他端側は、巻取パイプ１１０に巻き回されている。巻取パイプ１１０は、アーム支持枠１０３の両端部に取り付けられたエンドブラケット１１１に回動自在に支持されている。
【０００４】
巻取パイプ１１０は、中空パイプ形状をしている。オーニング装置が電動で開閉を行なう場合には、巻取パイプ１１０のいずれか一方の端部に、駆動源としての回転モータが内装される。なお、回転モータは巻取パイプ１１０内にあるので図示していない。回転モータの本体外側と巻取パイプ１１０の内側とが固定され、回転モータの出力軸がエンドブラケット１１１に回転しないようにボルトなどで固定されている。従って、回転モータが正方向に回転することによって、キャンバス１０９は繰り出されるように動作し、逆方向に回転することによってキャンバス１０９は巻き取られるように動作する。すなわち、回転モータを正逆方向に回転させることによって開閉体であるキャンバス１０９の開閉動作を制御している。
【０００５】
カバープレートは、上部カバー１１２と左右両端の側カバー１１３，１１４とで構成される。上部カバー１１２は、前縁が下向きに湾曲し、その断面形状が略Ｊ字状に形成された湾曲したアルミ合金などを素材とする板材で構成され、両端近傍における下面が取付ブラケット１０１（右側にも取付ブラケットが存在するがカバープレートに隠れていて図示されていない）の上端に固定されて、巻取パイプ１１０とこれに巻回されるキャンバス１０９を上方より覆い、かつ、側カバー１１３，１１４にて左右の外側面側を覆うようになっている。なお、この上部カバー１１２は、左右幅方向に長尺なことからそのたわみを防止するために、略Ｌ字形状のサポートブラケットが略中間位置に設けられ、上部カバー１１２を支持するようになっている。なお、このサポートブラケットについては図示を省略してある。このようなオーニング装置として、特許文献１，２に記載されたものがある。
【特許文献１】実開平０３−０９２２３４号公報
【特許文献２】実開平０３−０９２２３５号公報
【発明の開示】
【発明が解決しようとする課題】
【０００６】
特許文献１，２に記載されたものは、上述のように左右に取り付けられた関節アーム１０５，１０６の内部に設けられた引張コイルスプリングなどの弾性体によって、常に前方に向かって伸張させるような付勢力をキャンバス支持前枠１０８に作用させているので、巻取パイプ１１０に設けられた回転モータを正逆方向に回転させて、巻取パイプ１１０にキャンバス１０９を巻き取ったり、巻き戻したりして開閉体であるキャンバス１０９の開閉動作を制御している。
【０００７】
すなわち、合成繊維製布地などのキャンバスを張設したり、保持したり、収納したりするためには、合成繊維製布地などのキャンバス自体に付勢力を常時与える必要がある。特許文献１，２に記載されたオーニング装置などは、巻取パイプ１１０に設けられた回転モータとアーム１０５，１０６の内部に設けられた引張コイルスプリングなどの弾性体でこの付勢力を与えている。一方、合成繊維製布地などを開閉体手段とする上下方向へ開閉動作するロールスクリーンの場合には、ロールスクリーンの上下２箇所に回転モータを設けて、上下方向に付勢力を与えたり、ロールスクリーンの自重を用いて閉鎖時の付勢力を与えたりしている。
【０００８】
一方、テラスなどを構成する枠体に日除けや雨除けなどのために合成繊維製布地などのキャンバスを張設するためには、その枠体をガイドレールとして利用したり、キャンバスに付勢力を与えるために回転モータなどを上下２箇所に設けたりする必要があり、構成が複雑となり、価格的にも高価である。
【０００９】
この発明は、上述の点に鑑みてなされたものであり、テラスなどを構成する枠体に沿って日除けや雨除けなどのために合成繊維製布地などの開閉体手段を容易に張設することができる開閉体装置を提供することを目的とする。
【課題を解決するための手段】
【００１０】
本発明の開閉体装置の第１の特徴は、少なくとも一本のガイドレール手段と、前記ガイドレール手段に沿って移動するように設けられた枠手段と、前記枠手段に一端が固定された開閉体手段と、前記開閉体手段の他端部が固定され、前記開閉体手段を巻き取ったり、巻き戻したりする巻取手段とからなる開閉体装置において、前記開閉体手段が前記巻取手段によって巻き取られる方向とは反対向の荷重を前記枠手段にかける荷重付与手段を備え、前記巻取手段によって前記開閉体手段の開閉状態を制御するようにしたことにある。
通常、開閉体装置がビルや住宅、工場などの構築・構造物の出入口などの開口部をシート状のカーテンなどの開閉体手段を用いて仕切るものの場合には、枠手段自体の重量を利用して開閉体手段に巻き取られる方向とは反対向の荷重をかけて、開閉体手段を巻取手段に巻き取ったり、巻き戻したりすることによって、開閉体手段の開閉状態を制御している。ところが、テラスなどを構成する枠体のうち例えば屋根部や天井部を構成している一部の枠体に沿って日除けや雨除けなどのために開閉体手段を張設する場合、開閉体手段の開閉方向が水平方向やほぼ水平に近い傾斜方向となることが多く、枠手段自体の重量を有効に利用することができない。そこで、この発明では、枠手段に対して巻取手段によって巻き取られる方向とは反対向の荷重をかける荷重付与手段を設けた。これによって、開閉体手段の開閉方向が例えば水平方向であっても、開閉体手段を巻取手段に巻き取ったり、巻き戻したりすることによって、開閉体手段の開閉状態を制御することができる。
なお、この発明に係る開閉体装置は、開閉体手段がほぼ水平方向に開閉動作するようにほぼ水平状態に設置されるもの以外に、ほぼ垂直や傾斜状態に設置されるものでも良く、開閉体装置が設置される被設置部の状態に応じて任意な状態で設置可能である。この発明に係る開閉体装置は、少なくともガイドレール手段を支持する枠体を有するビルや住宅、工場などの建築構造物やテラス、カーポート、サンルーム、パーゴラ、バルコニーなどの建築構造物に付設される付設構造物などに適用可能である。この発明に係る開閉体装置の適用箇所は、屋根部、天上部、側壁部、床部、開口部などの枠体を有する部分であって、日除けや雨除け、目隠しなどの効果が求められる箇所が好ましい。屋根部、天上部、側壁部、床部については、その一部分がガラス製又は合成樹脂製等の透明部又は半透明部となっている部分を有している場合に、その部分に対してこの開閉体装置を適用することが好ましい。
【００１１】
本発明の開閉体装置の第２の特徴は、前記第１の特徴において、前記荷重付与手段が、荷重に応じて長さを伸縮させる伸縮手段と、前記伸縮手段の少なくとも一端部側に設けられた滑車手段と、前記枠手段に一端部が接続され、前記ガイドレール手段に他端部が接続され、前記滑車手段を介して前記伸縮方向に沿って反転案内されるように構成された線状手段とを備え、前記伸縮手段、前記滑車手段及び前記線状手段によって前記開閉体手段が前記巻取手段によって巻き取られる方向とは反対向の荷重を前記枠手段にかけるようにしたことにある。
これは、枠手段に対して巻取手段によって巻き取られる方向とは反対向の荷重をかける荷重付与手段の詳細構成に関するものである。この発明では荷重付加手段は、荷重に応じて長さを伸縮させる伸縮手段と、この伸縮手段の少なくとも一端部側に設けられた滑車手段と、この滑車手段を介して枠手段に一端部が、ガイドレール手段に他端部が接続される線状手段とから構成される。通常、一端の固定された線状手段を滑車手段を介して反転案内した場合、伸縮手段の伸縮に応じて滑車手段が移動すると、それによって反転案内された線状手段の他端はその移動距離の約２倍に相当する長さ分移動することになる。この発明では、滑車手段を介して線状手段の一端が枠手段に、他端がガイドレール手段に接続され、伸縮手段の伸縮によって開閉体手段が巻取手段に巻き取られる方向とは反対向の荷重が常に枠手段にかかるようにしているので、開閉体手段を巻取手段に巻き取ったり、巻き戻したりすることによって、開閉体手段の開閉状態を制御することができる。なお、滑車手段を伸縮手段の両端部に複数設けて、反転案内を複数回行うことによって、線状手段の移動距離は４倍、６倍のように徐々に増加させることができる。従って、枠手段を案内するガイドレール手段の長さと伸縮手段の伸縮量に応じて滑車手段を伸縮手段の両端部にどのように配置するかを決定すればよい。
【００１２】
本発明の開閉体装置の第３の特徴は、前記第１の特徴において、前記荷重付与手段が、シリンダチューブ手段の一端から突出するように設けられピストンロッド手段にかけられる荷重に応じてその押し込み量が変化するように構成されたガススプリング手段と、前記ガススプリング手段の両端部にそれぞれ設けられた滑車手段と、前記枠手段に一端部が接続され、前記ガイドレール手段又は前記ガススプリング手段に他端部が接続され、前記滑車手段を介して前記押し込み方向に沿って反転案内されるように設けられたワイヤ手段とから構成されることにある。
これは、荷重付与手段の構成を具体的にしたものであり、伸縮手段がシリンダチューブ手段とピストンロッド手段を備えたガススプリング手段で構成され、この両端部に滑車手段が設けられ、線状手段がワイヤ手段で構成され、このワイヤ手段の一端が移動可能な枠手段に、他端が移動しないガイドレール手段又はガススプリング手段に接続されている。
【００１３】
本発明の開閉体装置の第４の特徴は、前記第１の特徴において、２本以上で構成された前記ガイドレール手段間の距離が変化した場合に、前記ガイドレール手段の長手方向に対して略垂直な方向に前記枠手段を移動させることによって前記距離の変化を吸収し、前記枠手段を全体的に前記ガイドレール手段に沿って移動させるように構成したことにある。
ガイドレール手段が２本以上で構成される場合、ガイドレール手段間の距離を正確に一定となるようにすることは困難なので、この発明では、枠手段をガイドレール手段の長手方向に対して略垂直な方向に移動可能とすることによって、ガイドレール手段間の距離の変化を吸収するようにしたものである。
【００１４】
本発明の開閉体装置の第５の特徴は、前記第１の特徴において、前記巻取手段に巻き取られた前記開閉体手段の外周部に接触することによって前記巻取手段に巻き取られた前記開閉体手段の巻取り径の変化に応じて前記巻取手段の回転軸をスライド移動させると共に前記巻取手段の重量を支持するサポート手段を備えたことにある。
これは、開閉体手段が巻取手段に巻き取られ、その巻き取り量が大きくなると巻取手段及びそれに巻き取られた開閉体手段の重量が大きくなり、巻取手段がその重量によって撓むことになる。そこで、この発明では、巻取手段の回転軸をスライド移動させると共に開閉体手段の巻き取られた巻取手段の重量を支持するサポート手段を設けた。サポート手段は、巻取手段に巻き取られた開閉体手段の外周部に接触するように設けられているので、開閉体手段の巻き回された巻取手段の重量を支持すると共に巻き取られた開閉体手段の巻取り径が変化した場合に巻取手段の回転軸をスライド移動させている。これによって、巻き取られた開閉体手段の重量が大きくなっても、巻取手段がその重量によって撓むことを防止することができる。
【発明の効果】
【００１５】
本発明によれば、テラスなどを構成する枠体に沿って日除けや雨除けなどのために合成繊維製布地などの開閉体手段を容易に張設することができるという効果がある。
【発明を実施するための最良の形態】
【００１６】
以下、添付図面に従って本発明に係る開閉体装置の好ましい実施の形態について説明する。この実施の形態ではガススプリングを内蔵したガイドレールを備えた開閉体装置を例に説明する。
【００１７】
図２は、本発明に係る開閉体装置の外観の概略を示す斜視図であり、キャンバスが収納された状態を示す図である。図３は、図２において上部カバーを省略した図である。図４は、キャンバスが張設された状態を示す図である。なお、図４では、同じく上部カバーが省略してある。図５は、図２を下側から見た斜視図である。図６は、図２の開閉体装置を上側から見た図である。図７は、図６の側面図である。本発明に係る開閉体装置で採用した新しい点は、ガイドレールにガススプリングを内蔵し、このガススプリングの伸縮作用を利用してキャンバスに付勢力を与えるようにした点である。
【００１８】
この開閉体装置は、図２〜図７に示すように、例えば、店舗や住宅家屋などの建物のテラスなどの枠体に取り付けられるものである。取付ブラケット２０１は、全体的に長尺形状をしており、その中央部分がＴ字状の突起部を備え、このＴ字状の突起部にエンドブラケット２０２，２０３、巻取サポート２０４〜２０６、カバー支持枠２０７〜２１２がボルトとナットによって締め付け固定されている。この取付ブラケット２０１の左右両端近傍及び中央付近にはガススプリングの内蔵されたガイドレール３０１〜３０３がテラスなどの枠体に取り付けられる。ガイドレール３０１〜３０３の先端部にはキャップ３０４〜３０６が設けられ、その他端は取付ブラケット２０１に結合されている。
【００１９】
キャンバス支持前枠４０１は、ガイドレール３０１〜３０３の上面に沿って習動するように取り付けられている。図２〜図７には示してないが、ガイドレール３０１〜３０３の上面には、ガイドレール３０１〜３０３に沿ってスライド移動する移動枠体４０２〜４０４が設けられている。この移動枠体４０２〜４０４に対してキャンバス２００を伸張させるような付勢力を作用させるガススプリングがガイドレール３０１〜３０３に内蔵されている。取付ブラケット２０１の左右及び中央にそれぞれ取り付けられたガイドレール３０１〜３０３の上面をスライド移動する移動枠体４０２〜４０４、すなわちキャンバス支持前枠４０１を常に前方に向かって伸張しようとする付勢力がこのガススプリングによって加えられるようになっている。このガススプリングの詳細について後述する。
【００２０】
キャンバス支持前枠４０１は、日除け又は雨覆いとなる合成繊維製布地のキャンバス２００の一端側が取り付けられている。キャンバス２００の他端側は、巻取パイプ２１３に巻き回されている。巻取パイプ２１３は、取付ブラケット２０１の両端部に取り付けられたエンドブラケット２０２，２０３に回動自在に支持されている。
【００２１】
巻取パイプ２１３は、中空パイプ形状をしている。開閉体装置が電動で開閉を行なう場合には、巻取パイプ２１３のいずれか一方の端部に、駆動源としての回転モータが内装されている。なお、回転モータは巻取パイプ２１３内にあるので図示していない。図では、回転モータの本体外側と巻取パイプ２１３の内側とが固定され、回転モータの出力軸がエンドブラケット２０２に回転しないようにボルトなどで固定されている。従って、回転モータが正方向に回転することによって、キャンバス２００は繰り出されるように動作し、逆方向に回転することによってキャンバス２００は巻き取られるように動作する。すなわち、回転モータを正逆方向に回転させることによって開閉体であるキャンバス２００の開閉動作を制御している。巻取手段である巻取パイプ２１３を回転させるための駆動源としては、上述のモータ等による電動方式でも、その他の機構を介した手動方式でもよい。
【００２２】
カバープレートは、上部カバー５０１と左右両端の側カバー５０２，５０３とで構成される。上部カバー５０１は、後部側カバー５０１ａと上部側カバー５０１ｂとに分割されており、それぞれがボルトとナットによって締め付け固定されている。同様に、後部側カバー５０１ａはカバー支持枠２０７〜２１２にボルトとナットによって締め付け固定されている。側カバー５０２，５０３は、後部カバー５０１ａにボルトとナットによって締め付け固定されている。従って、上部カバー５０１によって、巻取パイプ２１３とこれに巻回されたキャンバス２００を上方より覆い、かつ、左右両端の側カバー５０２，５０３にて左右の外側面側を覆うようになっている。なお、この上部カバー５０１は、左右幅方向に長尺なことからそのたわみを防止するために、複数のカバー支持枠２０７〜２１２がそれぞれの略中間位置に設けられ、後部側カバー５０１ａを支持するようになっている。
【００２３】
図８は、ガススプリングの内蔵されたガイドレールの詳細構成を示す図であり、図８（Ａ）は、ガススプリングの内蔵されたガイドレールの上面図であり、図８（Ｂ）はその側面図である。図９は、ガススプリングの詳細構成を示す図である。図１０は、図９の端部付近を拡大して示す図である。図８は、図４に示すようにキャンバス支持前枠４０１がガイドレール３０１〜３０３の先端部に伸張された状態を示す。図では、ガススプリング８００を実線で示し、これ以外にガイドレール３０１〜３０３等の構成については、点線で示してある。このガイドレール３０１〜３０３が店舗や住宅家屋などの建物のテラスなどの枠体に取り付けられる。
【００２４】
ガススプリング８００は、密閉されたシリンダチューブ８０１内に高圧ガスとオイルが封じ込まれており、その一端から突出したピストンロッド８０２を押し込むことにより、荷重を発生させる機構となっている。この実施の形態では、ガススプリング８００のシリンダチューブ８０１及びピストンロッド８０２の端部に、ワイヤ９００を案内するためのガイドローラ９０１〜９０４がそれぞれ設けられている。ガイドローラ９０１，９０３は、シリンダチューブ８０１の端部に、ガイドローラ９０２，９０４はピストンロッド８０２の端部に、それぞれ設けられている。ワイヤ９００の一端は、接続部材９０５のロッド部に巻回接続されている。接続部材９０５と移動枠体４０２〜４０４とは、ガイドレール３０１〜３０３の側面に設けられたスリットを介してボルトとナットで結合されている。
【００２５】
接続部材９０５に接続されたワイヤ９００は、ガイドローラ９０１を介してガイドローラ９０２に向かうワイヤ９００ａとして反転案内される。ガイドローラ９０２では、ワイヤ９００ａがガイドローラ９０３に向かうワイヤ９００ｂとして反転案内される。ガイドローラ９０３では、ワイヤ９００ｂがガイドローラ９０４に向かうワイヤ９００ｃとして反転案内される。ガイドローラ９０４では、ワイヤ９００ｃがワイヤ保持部９０６に向かうワイヤ９００ｄとして反転案内される。すなわち、ワイヤ９００は、ガイドローラ９０１〜９０４で順次反転案内されて、ワイヤ保持部９０６に接続される。従って、キャンバス２００が回転モータによって巻取パイプ２１３に巻き取られると、キャンバス支持前枠４０１すなわち接続部材９０５はガイドローラ９０１からガイドローラ９０２，９０４側に向かって移動することになる。この移動に伴ってワイヤ９００が引っ張られることによって、ガススプリング８００のピストンロッド８０２がシリンダチューブ８０１に押し込まれる。このときの押し込まれる量は、接続部材９０５の移動量の約４分の１に相当する長さとなる。従って、図示のように、ガススプリング８００の押し込まれる量がガイドレール３０１〜３０３の長さに対して３分の１程度であれば、十分にキャンバス２００をガイドレール３０１〜３０３に沿って移動させることができる。
【００２６】
図１１は、キャンバス支持前枠と移動枠体とガイドレールとの関係を示す拡大図である。図１１（Ａ）は、図８（Ａ）の一部を拡大して図であり、図１１（Ｂ）は、図８（Ｂ）の一部を拡大した図である。図１１（Ａ）及び（Ｂ）では、キャンバス支持前枠４０１の左右に設けられるカバー４０１ａ及び移動枠体４０２を点線で示し、図１１（Ａ）では、移動枠体４０２を点線で示してある。キャンバス支持前枠４０１は、第１空洞部４０１ｃと第２空洞部４０１ｄを備えた１ピースで構成されている。移動枠体４０２は、ガイドレール３０１〜３０３の側面に設けられたスリットを介して接続部材９０５にボルトとナットで結合されている。キャンバス支持前枠４０１のキャンバス側には、キャンバス２００の端部２００ａを挿入することによってキャンバス２００を保持する保持部４３４を有する。これによって、キャンバス支持前枠４０１の移動に伴って、接続部材９０５が移動する。
【００２７】
なお、キャンバス支持前枠４０１がガイドレール３０１〜３０３に沿って移動する場合に、ガイドレール３０１〜３０３の設置間隔や設置角度が一定でない場合がある。このような場合に、キャンバス支持前枠４０１全体を移動枠体４０２〜４０４に沿ってガイドレール３０１〜３０３とほぼ垂直な方向にスライド移動するようにしている。すなわち、移動枠体４０２には、スライドロッド４０２ａが取り付けられている。キャンバス支持前枠４０１には、このスライドロッド４０２ａが嵌合して、スライドすることができるような円筒部を全長に渡って備えているので、ガイドレール３０１〜３０３の設置間隔や設置角度が一定でない場合でも、このスライドロッド４０２ａが円筒部を移動することによって、設置間隔や設置角度の変動誤差を吸収することができるようになっている。なお、スライドロッド４０２ａには、ボルトロッド４０２ｂが埋め込まれており、このボルトロッド４０２ｂが移動枠体４０２にボルト４０２ｃで固定されている。
【００２８】
図１２は、取付ブラケット２０１に取り付けられる巻取サポート２０４〜２０６の詳細構成を示す図である。この巻取サポート２０４〜２０６は、取付ブラケット２０１の両側に設けられたエンドブラケット２０２，２０３と共に協働してキャンバス２００の安定した巻取動作を実現している。図１２（Ａ）は、巻取パイプ２１３とエンドブラケット２０２との関係を示す図であり、図１２（Ｂ）は、巻取サポート２０４〜２０６と巻取パイプ２１３との関係を示す図であり、図１２（Ｃ）は、巻取パイプ２１３とエンドブラケット２０３との関係を示す図である。図１２（Ａ）〜（Ｃ）は共にエンドブラケット２０２側からエンドブラケット２０３側を見た図である。
【００２９】
図１２（Ａ）に示すように、エンドブラケット２０２には、横方向にスライド移動する移動体２０２ａが設けられている。エンドブラケット２０２は、両端が半円形をした長方形状の開口部２０２ｂを備えている。移動体２０２ａは、この開口部２０２ｂ内をスライド移動可能な開口部２０２ｂと相似形をしている。回転モータの出力軸は、回転しないように移動体２０２ａに２箇所ボルトなどで固定されている。一方、図１２（Ｃ）に示すように、エンドブラケット２０３には、巻取パイプ２１３の回転軸２１３ｃがスライド移動可能な楕円形状の開口部２０３ｂを備えている。図１２では、キャンバス２００が巻取パイプ２１３に巻き取られた状態をキャンバス２１３ａとして実線で示し、キャンバス２００が伸張した状態をキャンバス２１３ｂとして点線で示している。
【００３０】
従って、図１２（Ｂ）に示すように、巻取パイプ２１３にキャンバス２００が巻き取られたり、巻き戻されることによって、巻取パイプ２１３の巻取り径は変化する。このときに、キャンバス２００には常に伸張する方向の付勢力がかかっているので、図１２（Ｂ）に示すように、巻取サポート２０４〜２０６とキャンバス２１３ａ，２１３ｂとは常に接触する状態にある。例えば、巻き取られた状態のキャンバス２１３ａでは、移動体２０２ａ及び回転軸２１３ｃは実線に示すような位置にあるが、伸張したキャンバス２１３ｂでは、移動体２０２ａ及び回転軸２１３ｃは点線のような位置に移動する。これは、巻取サポート２０４とキャンバス２１３ａ，２１３ｂの外周とが常に同じ位置で接触しているからである。キャンバス２１３ａのようにキャンバス２００が巻き取られた状態の巻取パイプ２１３の重量は、比較的大きくなるので、巻取パイプ２１３自体がキャンバス２１３ａの重量によって撓むことがある。ところが、この実施の形態のように、巻取パイプ２１３の回転軸２１３ｃをスライド移動可能とし、キャンバス２１３ａ，２１３ｂの外周が巻取サポート２０４に常に接触するようにすることによって、キャンバス２１３ａのように巻取パイプ２１３の重量が大きくなった場合でも、巻取サポート２０４がその巻取パイプ２１３の重量を支持するので、巻取パイプ２１３の撓みを防止することができる。
【００３１】
巻取サポート２０４〜２０６は、図１２に示すように、キャンバス２１３ａの外周に沿った略４分の１円形状をしたものであり、キャンバス２１３ａとの接触部に複数のコロ部材を備え、このコロ部材がキャンバス２１３ａと接触して回転するようになっている。このように巻取サポート２０４〜２０６を略４分の１円形状にすることによって、巻取パイプ２１３の回転軸２１３ｃを図１２に示すように横方向にスライド移動すると共に巻取パイプ２１３の重量をより有効に支持することができる。なお、コロ部材を設けないで巻取サポート２０４〜２０６のキャンバス２１３ａとの接触部に滑らかな滑り部材を用いるようにしてもよい。
【００３２】
上述の実施の形態では、開閉体手段として、キャンバス等のスクリーン状のものを用いる場合について説明したが、ネット状のものやすだれ状のもの等でもよい。また、上述の実施の形態では、ガススプリング８００の両端にそれぞれガイドローラ９０１〜９０４を設ける場合について説明したが、ガイドローラの数は、ガイドレールの長さに応じて適宜決定してもよい。ガススプリングに代えて、同様の作用をする伸縮手段を用いてもよい。ガススプリングは、ガイドレールに内蔵する場合について説明したが、内蔵ではなくガイドレールに外付けしてもよい。上述の実施の形態では、ガイドレールが３本の場合について説明したが、ガイドレールの本数は１本でも２本でもこれ以上でもよく、キャンバスの大きさに応じて適宜変更可能である。上述の実施の形態では、キャンバスを巻き取ることによって、伸縮手段が縮むようになっているが、逆に、キャンバスを巻き取るときに、伸縮手段が伸びるように構成してもよい。上述の実施の形態では、巻取サポート２０４によって、移動体２０２ａ及び回転軸２１３ｃが横方向に移動する場合について説明したが、移動体２０２ａ及び回転軸２１３ｃの移動方向は斜め方向でも垂直方向でもよい。すなわち、巻取サポート２０４がキャンバス２１３ａとどのような角度で接触するかによって、その重量を支持する度合が変化するので、移動体２０２ａ及び回転軸２１３ｃの移動方向をそれに応じて斜め方向や垂直方向に設定することができる。
【図面の簡単な説明】
【００３３】
【図１】従来のオーニング装置の構成を示す概略図である。
【図２】本発明に係る開閉体装置の外観の概略を示す斜視図であり、キャンバスが収納された状態を示す図である。図３は、図４は、なお、図４では、同じく上部カバーが省略してある。図５は、図６は、図７は、
【図３】図２において上部カバーを省略した図である。
【図４】キャンバスが張設された状態を示す図である。
【図５】図２を下側から見た斜視図である。
【図６】図２の開閉体装置を上側から見た図である。
【図７】図６の側面図である。
【図８】ガススプリングの内蔵されたガイドレールの詳細構成を示す図であり、図８（Ａ）は、ガススプリングの内蔵されたガイドレールの上面図であり、図８（Ｂ）はその側面図である。
【図９】ガススプリングの詳細構成を示す図である。
【図１０】図９の端部付近を拡大して示す図である。
【図１１】キャンバス支持前枠と移動枠体とガイドレールとの関係を示す拡大図である。
【図１２】取付ブラケットに取り付けられる巻取サポートの詳細構成を示す図である。
【符号の説明】
【００３４】
２００…キャンバス
２０１…取付ブラケット
２０２，２０３…エンドブラケット
２０４〜２０６…巻取サポート
２０７〜２１２…カバー支持枠
２１３…巻取パイプ
３０１〜３０３…ガイドレール
３０４〜３０６…キャップ
４０１…キャンバス支持前枠
４０２〜４０４…移動枠体
５０１…上部カバー
５０１ａ…後部側カバー
５０１ｂ…上部側カバー
５０２，５０３…側カバー
２０７〜２１２…カバー支持枠
８００…ガススプリング
８０１…シリンダチューブ
８０２…ピストンロッド
９００，９００ａ，９００ｂ，９００ｃ，９００ｄ…ワイヤ
９０１〜９０４…ガイドローラ
９０５…接続部材
９０６…ワイヤ保持部
【図１】
2006307487.tif 000003
【図２】
2006307487.tif 000004
【図３】
2006307487.tif 000005
【図４】
2006307487.tif 000006
【図５】
2006307487.tif 000007
【図６】
2006307487.tif 000008
【図７】
2006307487.tif 000009
【図８】
2006307487.tif 000010
【図９】
2006307487.tif 000011
【図１０】
2006307487.tif 000012
【図１１】
2006307487.tif 000013
【図１２】
2006307487.tif 000014